(57)【要約】【課題】シンクの前方に位置する使用者による浄水カートリッジの着脱操作を行い易くしたアルカリイオン整水器を提供する。【解決手段】シンク周りに設置される整水器本体１の内部に配設した水経路２に、上流側から順に、供給される原水を濾過する濾材を収納した浄水カートリッジ３と、浄水カートリッジ３にて濾過された浄水を電気分解してアルカリ性又は酸性にする電解槽４とを配設して成るアルカリイオン整水器である。浄水カートリッジ３を着脱自在に収容するカートリッジ収納凹所５を整水器本体１の前面１ａに開口させるように形成する。浄水カートリッジ３の取出口となるカートリッジ収納凹所５の前方開口を塞ぐように整水器本体１の前面１ａに前面蓋６を着脱自在に被着する。【選択図】図１
2008168239.tif 000002
【特許請求の範囲】
【請求項１】
シンク周りに設置される整水器本体の内部に配設した水経路に、上流側から順に、供給される原水を濾過する濾材を収納した浄水カートリッジと、浄水カートリッジにて濾過された浄水を電気分解してアルカリ性又は酸性にする電解槽とを配設して成るアルカリイオン整水器において、浄水カートリッジを着脱自在に収容するカートリッジ収納凹所を整水器本体の前面に開口させるように形成し、浄水カートリッジの取出口となるカートリッジ収納凹所の前方開口を塞ぐように整水器本体の前面に前面蓋を着脱自在に被着したことを特徴とするアルカリイオン整水器。
【請求項２】
水経路の一部に浄水カートリッジへの接続口である一対の本体側接続口を備え、一方の本体側接続口をカートリッジ収納凹所の上面部に配置して本体側上接続口とすると共に、他方の本体側接続口をカートリッジ収納凹所の下面部に配置して本体側下接続口とし、カートリッジ収納凹所に浄水カートリッジを収納した際に、浄水カートリッジの上部に設けたカートリッジ側上接続口を本体側上接続口に嵌合して接続可能にすると共に、浄水カートリッジの下部に設けたカートリッジ側下接続口を本体側下接続口に嵌合して接続可能にし、カートリッジ収納凹所の下面部に、本体側下接続口にカートリッジ側下接続口を接続させた浄水カートリッジを上方に付勢してカートリッジ側上接続口を本体側上接続口に嵌合接続させて浄水カートリッジのカートリッジ収納凹所への収納状態を維持させるための弾性部を設け、カートリッジ収納凹所の前方開口の上縁部に、弾性部の付勢に抗って浄水カートリッジの上面部を下方に押し込んでカートリッジ側上接続口と本体側上接続口との嵌合接続を解除させるための指挿入用凹部を設けたことを特徴とする請求項１記載のアルカリイオン整水器。
【請求項３】
前面蓋の裏面に、カートリッジ側下接続口が本体側下接続口に嵌合接続した状態で且つカートリッジ側上接続口が本体側上接続口に嵌合接続していない状態の未収納状態の浄水カートリッジを後方に押し込んでカートリッジ収納凹所に収納させるための押込部を設けたことを特徴とする請求項１又は２記載のアルカリイオン整水器。
【請求項４】
上記押込部を、前面蓋の端縁間に亙るように形成されて前面蓋の剛性強度を向上させるための補強リブで構成したことを特徴とする請求項３に記載のアルカリイオン整水器。
【発明の詳細な説明】
【技術分野】
【０００１】
本発明は、アルカリイオン整水器に関するものである。
【背景技術】
【０００２】
従来から、シンク周りに設置される整水器本体の内部に配設した水経路に、上流側から順に、供給される原水を濾過する濾材を収納した浄水カートリッジと、浄水カートリッジにて濾過された浄水を電気分解してアルカリ性又は酸性にする電解槽とを配設して成るアルカリイオン整水器が、知られている（たとえば特許文献１参照）。
【０００３】
ところで、このアルカリイオン整水器にあっては、浄水カートリッジは整水器本体の後面から整水器本体に着脱されるようになっている。したがって、シンクの前方に前面を向けて配設される整水器本体では、シンクの前方に位置する使用者にとって浄水カートリッジの着脱操作が行い難い、という問題があった。
【特許文献１】特開２００５−２１１８１２号公報
【発明の開示】
【発明が解決しようとする課題】
【０００４】
本発明は上記の点に鑑みてなされたものであり、その目的とするところは、シンクの前方に位置する使用者による浄水カートリッジの着脱操作を行い易くしたアルカリイオン整水器を提供することを課題とするものである。
【課題を解決するための手段】
【０００５】
上記課題を解決するために請求項１に係るアルカリイオン整水器にあっては、シンク周りに設置される整水器本体１の内部に配設した水経路２に、上流側から順に、供給される原水を濾過する濾材を収納した浄水カートリッジ３と、浄水カートリッジ３にて濾過された浄水を電気分解してアルカリ性又は酸性にする電解槽４とを配設して成るアルカリイオン整水器において、浄水カートリッジ３を着脱自在に収容するカートリッジ収納凹所５を整水器本体１の前面１ａに開口させるように形成し、浄水カートリッジ３の取出口となるカートリッジ収納凹所５の前方開口を塞ぐように整水器本体１の前面１ａに前面蓋６を着脱自在に被着したことを特徴とする。
【０００６】
これによると、シンク周りに設置される整水器本体１の前面１ａに浄水カートリッジ３を着脱自在に収容するカートリッジ収納凹所５を開口させるように形成し、浄水カートリッジ３の取出口となるカートリッジ収納凹所５の前方開口を塞ぐように整水器本体１の前面１ａに前面蓋６を着脱自在に被着したので、シンク２８の前方に位置した使用者はシンク周りに設置された整水器本体１の前面蓋６を外して整水器本体１の前面１ａから浄水カートリッジ３をカートリッジ収納凹所５に対して着脱させることができるのであり、浄水カートリッジ３の着脱を容易に行うことができる。
【０００７】
また、請求項２に係るアルカリイオン整水器にあっては、請求項１において、水経路２の一部に浄水カートリッジ３への接続口である一対の本体側接続口７を備え、一方の本体側接続口７をカートリッジ収納凹所５の上面部に配置して本体側上接続口７ａとすると共に、他方の本体側接続口７をカートリッジ収納凹所５の下面部に配置して本体側下接続口７ｂとし、カートリッジ収納凹所５に浄水カートリッジ３を収納した際に、浄水カートリッジ３の上部に設けたカートリッジ側上接続口８ａを本体側上接続口７ａに嵌合して接続可能にすると共に、浄水カートリッジ３の下部に設けたカートリッジ側下接続口８ｂを本体側下接続口７ｂに嵌合して接続可能にし、カートリッジ収納凹所５の下面部に、本体側下接続口７ｂにカートリッジ側下接続口８ｂを接続させた浄水カートリッジ３を上方に付勢してカートリッジ側上接続口８ａを本体側上接続口７ａに嵌合接続させて浄水カートリッジ３のカートリッジ収納凹所５への収納状態を維持させるための弾性部９を設け、カートリッジ収納凹所５の前方開口の上縁部に、弾性部９の付勢に抗って浄水カートリッジ３の上面部を下方に押し込んでカートリッジ側上接続口８ａと本体側上接続口７ａとの嵌合接続を解除させるための指挿入用凹部１０を設けたことを特徴とする。
【０００８】
これによると、弾性部９の付勢によって、カートリッジ側下接続口８ｂと本体側下接続口７ｂとを嵌合接続させると共にカートリッジ側上接続口８ａと本体側上接続口７ａとを嵌合接続させた状態で、カートリッジ収納凹所５に浄水カートリッジ３を強固に収納維持できるのであり、また、収納状態にある浄水カートリッジ３をカートリッジ収納凹所５から取り外す際には、シンク２８の前方に位置した使用者は、整水器本体１の前面１ａから指挿入用凹部１０に指を入れて浄水カートリッジ３の上面部を下方に押し込むことで容易に行うことができる。
【０００９】
また、請求項３に係るアルカリイオン整水器にあっては、請求項１又は２において、前面蓋６の裏面に、カートリッジ側下接続口８ｂが本体側下接続口７ｂに嵌合接続した状態で且つカートリッジ側上接続口８ａが本体側上接続口７ａに嵌合接続していない状態の未収納状態の浄水カートリッジ３を後方に押し込んでカートリッジ収納凹所５に収納させるための押込部１１を設けたことを特徴とする。
【００１０】
これによると、整水器本体１の前面１ａに前面蓋６を被着してカートリッジ収納凹所５を塞いだ際に、前面蓋６の裏面の押込部１１によって未収納状態にある浄水カートリッジ３をカートリッジ収納凹所５に自動的に収納させることができ、浄水カートリッジ３の収納不良を回避できると共に、浄水カートリッジ３の収納操作の容易化を図ることができる。
【００１１】
また、請求項４に係るアルカリイオン整水器にあっては、請求項３において、押込部１１を、前面蓋６の端縁間に亙るように形成されて前面蓋６の剛性強度を向上させるための補強リブ１２で構成したことを特徴とする。
【００１２】
これによると、前面蓋６の押込部１１を補強リブ１２で構成したので、未収納状態にある浄水カートリッジ３の押し込み時に押込部１１にかかる負荷によって押込部１１や前面蓋６が変形してしまうことを有効に防止できる。
【発明の効果】
【００１３】
本発明にあっては、シンクの前方に位置する使用者による浄水カートリッジの着脱操作を行い易くする、という利点を有する。
【発明を実施するための最良の形態】
【００１４】
以下、本発明を添付図面に示す実施形態に基いて説明する。
【００１５】
アルカリイオン整水器は、原水からアルカリイオン水や酸性イオン水を生成したり、あるいは原水を浄水して吐水管１４より吐水させるものである。
【００１６】
図５のように、アルカリイオン整水器の整水器本体１内には、水経路２及び、アルカリイオン整水器の主体となる浄水カートリッジ３、カルシウム供給部１３、電解槽４をはじめとする機器が収容されている。水経路２の上流側端部には水道等の原水管４０が接続されており、水経路２の途中には上流側から順に浄水部４、流量センサ４１、カルシウム供給部１３、電解槽４が配設してあると共に、電解槽４から下流側は、電解槽４で生成されるアルカリイオン水・酸性イオン水の一方または浄水を使用者に供給する吐水管１４と、前記吐水管１４からアルカリイオン水・酸性イオン水の一方を吐水する際にアルカリイオン水・酸性イオン水の他方を排出する排水管１５とに分岐されている。また、排水管１５には排水側電磁弁２０が設けてある。
【００１７】
浄水カートリッジ３は、水経路２を経て供給される原水を濾過する濾材を円柱状の容器に収納してあり、整水器本体１の前面１ａに開口して前面蓋６で蓋がされるカートリッジ収納凹所５に収納された状態で、整水器本体１に着脱自在（交換可能）に配設される。詳しくは、濾材としては、原水中の残留塩素を吸収する活性炭、及び、一般細菌や不純物を取り除く中空紙膜を備えている。また、浄水カートリッジ３には水経路２への接続口である一対のカートリッジ側接続口８が備えられているが、この一対のカートリッジ側接続口８は浄水カートリッジ３の上部に突設したカートリッジ側上接続口８ａと、浄水カートリッジ３の下部に突設したカートリッジ側下接続口８ｂとで構成されている。また、水経路２の一部には浄水カートリッジ３への接続口である一対の本体側接続口７が備えられているが、この一対の本体側接続口７はカートリッジ収納凹所５の上面部及び下面部に臨むように配置された本体側上接続口７ａ及び本体側下接続口７ｂによって構成されている。浄水カートリッジ３がカートリッジ収納凹所５に収納された状態では、カートリッジ側下接続口８ｂが本体側下接続口７ｂに嵌合接続されて水経路２からの原水を浄水カートリッジ３内に導入可能にすると共に、カートリッジ側上接続口８ａが本体側上接続口７ａに嵌合接続されて浄水カートリッジ３の内部を経て生成された浄水を水経路２に供給可能にしている。
【００１８】
流量センサ４１は、通水を確認して後述する制御部１６に制御指示を行うものである。カルシウム供給部１３は、グリセロリン酸カルシウムや乳酸カルシウム等のカルシウムイオンを原水中に投与して導電率を高めるものである。また、カルシウム供給部１３は、グリセロリン酸カルシウムや乳酸カルシウム等のカルシウムイオンを原水中に投与して導電率を高めるものである。
【００１９】
電解槽４は、隔膜１７によって槽内が二分されて形成された各電極室に電極板１８，１９を備えている。そして、一方の電極板１８を備えた側の電極室には、この電極室にて生成される使用水（電極板１８が陰極の場合はアルカリイオン水、陽極の場合は酸性イオン水）を吐出するための上記吐水管１４が接続される。これに対して、他方の電極板１９を備えた側の電極室には、この電極室にて生成される使用されない方の水（電極板１９が陽極の場合は酸性イオン水、陰極の場合はアルカリイオン水）を排出するための上記排水管１５が接続されており、排水側電磁弁２０を開いて排水を行い得るようにされている。また、排水管１５の排水側電磁弁２０の上流側の部分には、内部配管の電解槽４の上流側の部分から分岐した排水用バイパス管１５ａが接続され、この途中に設けたバイパス弁１５ｂを開いて電解槽４内の滞留水や浄水カートリッジ３内の滞留水が排水可能にされている。なお、バイパス弁１５ｂは流路を絞った絞りで代用してもよい。また、排水管１５には、電解槽４で電解水を効率よく生成するため流量調整弁等からなる流量調節部２１が設けてある。
【００２０】
また整水器本体１には、浄水カートリッジ３の有無を検出する浄水器センサ２２、商用の交流電源に接続される電源投入用プラグ２３、電源投入用プラグ２３からの交流電源を直流電源に変える制御用電源部２４、整水器本体１の動作を制御する制御部１６、整水器本体１の作動操作を行うと共に作動状態を表示する操作表示部２５が設けてある。
【００２１】
操作表示部２５は、操作部２６と表示部２７とを備えている。操作部２６は、アルカリイオン水生成モードと浄水モードと酸性イオン水生成モードのいずれかを選択して切替える各モード切替ボタン２６ａ，２６ｂ，２６ｃを有する。この操作部２６によって、三つのモードのうちのいずれかを選択すると、表示部２７に選択されたモードが表示される。また、モード選択の後に通水すると制御部１６によって極性（すなわち一方の電極板１８を備えた側の電極室からアルカリイオン水生成と酸性イオン水生成のいずれが生成されるか）と通水状態が判断され、電解槽４での電気分解後にいずれかのモードにて選択された水が吐出される。なお、アルカリイオン水生成モードにおいては、ｐＨ調節ボタン２６ａ１〜２６ａ４によって強モード、中上モード、中下モード、弱モードのいずれか一つのモードを選択することもでき、表示部２７ではこれらの動作状態をＬＥＤまたはＬＣＤにより表示し、且つ必要に応じて報知音を発生させる報知音発生手段が併設される。
【００２２】
制御部１６は、ＭＰＵ１６ａ（Micro Processing Unit）、極性切換部１６ｂ、電解電圧スイッチング部１６ｃを備えており、ＭＰＵ１６ａが流量センサ４１や浄水器センサ１４や操作部２６から制御指示を得て演算処理して必要に応じて排水側電磁弁２０、表示部２７に動作指示をする。極性切換部１６ｂは、ＭＰＵ１６ａからの動作指示に応じて極性を切り換えるものである。電解電圧スイッチング部１６ｃは、ＭＰＵ１６ａからの動作指示に応じて、制御用電源部１６から出力された直流電圧電流をパルス変調することで電解槽４に印加する平均電圧を変化させる。そして、この電解電圧スイッチング部１６ｃでパルス変調された平均電圧に応じて、アルカリイオン水のｐＨ濃度を変化させることができる。
【００２３】
ところで、整水器本体１は、図１や図４のように、平行な面となる後面１ｂと前面１ａとの間の両側面１ｃが前方ほど離れて位置するような平面視台形状に形成されている。この整水器本体１は流し台のシンク周りに設置されるのであるが、たとえば整水器本体１をシンク２８の後縁フランジ部に置いて流し台や台所の後壁２９ａに整水器本体１の後面１ｂを沿わせると共に整水器本体１の前面１ａをシンク２８の前方に向けるようにして設置するようにしたり、たとえば整水器本体１をシンク２８の角部フランジ部に置いてシンク２８の角部で直交する流し台や台所の後壁２９ａと側壁２９ｂとに対して整水器本体１の両側面１ｃを近接させると共に整水器本体１の前面１ａを開けた空間となるシンク２８の中央部に向けるように（整水器本体１の前面１ａをシンク２８の斜め前方に向けるように）して設置することができる。殊に後者の場合、たとえば本例の整水器本体１と平面積が同等の平面視長方形状の整水器本体１´をシンク２８の角部に設置した場合に比べて、シンク２８の中央側への突出寸法を抑えることができて好ましい（図４参照）。つまり、本例の整水器本体１はその前面１ａをシンク２８の前方に位置する使用者側に向かせてシンク周りに設置するに適した形状となっている。
【００２４】
ここで、整水器本体１の平面視台形状の上面１ｄには操作表示部２５が設けられている。操作表示部２５を設けた整水器本体１の上面１ｄは、シンク２８の前方に位置する使用者から見易く、操作し易くするために、前方ほど下方に位置するような下り傾斜状に施されている。なお、整水器本体１の上面１ｄから突出する吐水管１４は、使用者による操作表示部２５の操作や使用者の操作表示部２５への視界を妨げないように、整水器本体１の上面１ｄにおける後端部から突出されている。
【００２５】
また、整水器本体１の前面１ａには、浄水カートリッジ３を着脱自在に収容するカートリッジ収納凹所５が前方に開口するように形成されている。詳しくは、整水器本体１の前面１ａには後方に引き込む引込凹部３０が形成されており、引込凹部３０に対して前面蓋６が着脱自在に被着されて、図２のように被着した前面蓋６の表面が整水器本体１の外面と面一になるようにされている。そして、カートリッジ収納凹所５は引込凹部３０内に位置して設けられており、引込凹部３０に被着した前面蓋６によってカートリッジ収納凹所５の前方開口が閉塞されるようになっている。このように、シンク周りに設置される本例の整水器本体１にあっては、その前面１ａに浄水カートリッジ３を着脱自在に収容するカートリッジ収納凹所５を開口させるように形成し、浄水カートリッジ３の取出口となるカートリッジ収納凹所５の前方開口を塞ぐように前面蓋６を着脱自在に被着する構造が採用されているので、図１のように、シンク２８の前方に位置した使用者はシンク周りに設置された整水器本体１から前面蓋６を外して整水器本体１の前面１ａから浄水カートリッジ３をカートリッジ収納凹所５に対して着脱させることができるのであり、浄水カートリッジ３の着脱を容易に行うことができるようになっている。
【００２６】
ところで、図２のように、カートリッジ収納凹所５の下面部に設けた水経路２の本体側下接続口７ｂは上方に突出する下側管材３１によって構成されている。この下側管材３１は、バネ材９ａで構成した弾性部９を介して整水器本体１に組み込まれており、弾性部９によって上方に突出付勢された状態でカートリッジ収納凹所５の下面部における平面視略中央部に露出した状態で配設されている。また、カートリッジ収納凹所５の上面部に設けた水経路２の本体側上接続口７ａは下方に突出する上側管材３２によって構成されている。この上側管材３２は、覆い壁３３によってその前方が覆われた状態でカートリッジ収納凹所５の上面部に配設されている。
【００２７】
浄水カートリッジ３をカートリッジ収納凹所５に収納するには、まず、図３のように浄水カートリッジ３を前斜め上方からカートリッジ収納凹所５に挿入して、浄水カートリッジ３のカートリッジ側下接続口８ｂを本体側下接続口７ｂに対して外嵌し、次いで、浄水カートリッジ３の上面部を弾性部９の付勢に抗うように下方に押して下側管材３１を下方へ押し込み、覆い壁３３の下方を浄水カートリッジ３の上端となるカートリッジ側上接続口８ａをくぐらせるようにして、カートリッジ収納凹所５の前方開口に位置する浄水カートリッジ３の上部を後方に移動させ、浄水カートリッジ３の全体をカートリッジ収納凹所５の内部に収めた状態で浄水カートリッジ３の上面部に負荷させていた下方への押し込みを解除することで、弾性部９の弾性復帰によって下側管材３１と一体に浄水カートリッジ３が上方に移動し、カートリッジ側上接続口８ａと本体側上接続口７ａとが嵌合接続される。浄水カートリッジ３がカートリッジ収納凹所５に収納された状態では、図２のように、カートリッジ側下接続口８ｂが本体側下接続口７ｂに嵌合接続されると共に、カートリッジ側上接続口８ａが本体側上接続口７ａに嵌合接続された状態となるが、この状態でも弾性部９は浄水カートリッジ３を上方に付勢し続けており、つまり、弾性部９の付勢によって浄水カートリッジ３を水経路２との接続を保持しつつカートリッジ収納凹所５に対して強固に収納維持されるようになっている。なお、カートリッジ収納凹所５から浄水カートリッジ３を取り出すには上記収納動作と逆の動作を行わせる。
【００２８】
ここで、カートリッジ収納凹所５の前方開口の上縁部には、カートリッジ収納凹所５に収納した浄水カートリッジ３の上面部の前縁部分が臨むような、前方に開口せる指挿入用凹部１０が連設されている。指挿入用凹部１０は、その上面とカートリッジ収納凹所５に収納した浄水カートリッジ３の上面部の前縁部分との間に、指を挿入できる程度の隙間を形成している。また、指挿入用凹部１０の奥面が覆い壁３３の前面を構成するようになっている。
【００２９】
この指挿入用凹部１０を設けたことで、収納状態にある浄水カートリッジ３をカートリッジ収納凹所５から取り外す際に、シンク２８の前方に位置した使用者は、整水器本体１の前面１ａから指挿入用凹部１０に指を入れ、指挿入用凹部１０に臨む浄水カートリッジ３の上面部を下方に押し込むことができるのであり、容易に浄水カートリッジ３のカートリッジ収納凹所５からの取外し操作を行うことが可能にされている。無論、浄水カートリッジ３のカートリッジ収納凹所５への収納動作において、浄水カートリッジ３の上面部を下方に押しつつ浄水カートリッジ３の上部を後方へ移動させる際に、浄水カートリッジ３の上面部を押圧しつつ後方へ移動させる指を指挿入用凹部１０に挿入することができ、つまり整水器本体１に指を干渉させずに済むから、浄水カートリッジ３のカートリッジ収納凹所５への収納操作の作業性の向上にも資することができる。
【００３０】
なお、本体側上接続口７ａへのカートリッジ側上接続口８ａの嵌合接続、本体側下接続口７ｂへのカートリッジ側下接続口８ｂの嵌合接続は、それぞれ本体側接続口７に対してカートリッジ側接続口８が外嵌されることで、本体側接続口７の外周に設けたパッキン４２を介して水密的に接続されるようになっている。また、覆い壁３３の下端の前縁部には、浄水カートリッジ３の収納動作の際に、浄水カートリッジ３のカートリッジ側上接続口８ａを摺接させて本体側上接続口７ａに向けて覆い壁３３をくぐらせ得るように、前方ほど上方に位置する傾斜溝状に形成した収納ガイド部３４が形成されている。なお、図示はしないが、覆い壁３３の下端の後縁部に、浄水カートリッジ３の取り外し動作の際に、浄水カートリッジ３のカートリッジ側上接続口８ａを摺接させて整水器本体１の前方に向けて覆い壁３３をくぐらせ得るように、後方ほど上方に位置する傾斜溝状に形成した取外しガイド部を形成させることも好ましい。
【００３１】
ところで、前面蓋６は引込凹部３０に被着することで浄水カートリッジ３を収納したカートリッジ収納凹所５の前方開口を塞いで整水器本体１の良好な外観を現出させるものであるが、前面蓋６の裏面には、カートリッジ側下接続口８ｂが本体側下接続口７ｂに嵌合接続した状態で且つカートリッジ側上接続口８ａが本体側上接続口７ａに嵌合接続していない状態の未収納状態の浄水カートリッジ３を後方に押し込んで浄水カートリッジ３をカートリッジ収納凹所５に収納状態にするための押込部１１が設けられ、浄水カートリッジ３の収納不良を回避すると共に浄水カートリッジ３の収納操作の容易化を図るという工夫も施されており、以下に詳述する。
【００３２】
前面蓋６は主体となる蓋板部３６の上部両側及び下部両側にそれぞれ係止脚３７が突設されており、引込凹部３０の上部両側及び下部両側に設けた被係止部３８に対して上記係止脚３７を係止させることで前面蓋６が引込凹部３０に被着される。詳しくは、本例の前面蓋６の下部の係止脚３７ａは蓋板部３６から後方に突出した後に下方に屈曲されるＬ字片状に形成されると共に引込凹部３０の下部の被係止部３８ａは上方に開口する穴状に形成され、また前面蓋６の上部の係止脚３７ｂは後方に突出する片状に形成されると共に引込凹部３０の上部の被係止部３８ｂは前方に開口する穴状に形成されている。そして、下部の係止脚３７ａを下部の被係止部３８ａに対して斜め前上方から挿入して前側に抜けない係止状態にした上で、この係止部位を回転中心として前面蓋６の上部を後方に回動させ（図３中矢印Ａ）、上部の係止脚３７ｂを上部の被係止部３８ｂに対して係止させることで、前面蓋６が引込凹部３０に前方から被着させ得るようにされている。なお、上部の係止脚３７ｂは爪部３９を有し、上部の被係止部３８ｂの内側面に爪部３９を引っ掛けることで、両者の係止が行われている。
【００３３】
また、蓋板部３６の裏面には両側端縁間に亙るような補強リブ１２が後方へ向けて突設されており、前面蓋６の剛性強度の向上が図られている。図２のように、前面蓋６を引込凹部３０に被着した際には補強リブ１２の一部がカートリッジ収納凹所５の前方開口に位置するようにされている。
【００３４】
浄水カートリッジ３は、弾性部９による付勢を受ける構造上、カートリッジ収納凹所５への収納過程で、図３のように浄水カートリッジ３の上端を構成するカートリッジ側上接続口８ａが覆い壁３３の下端面に引っ掛かった状態、つまりカートリッジ側下接続口８ｂが本体側下接続口７ｂに嵌合接続した状態で且つカートリッジ側上接続口８ａが本体側上接続口７ａに嵌合接続していない状態である未収納状態で、カートリッジ収納凹所５の前方開口に位置し続けることもある。しかしながら、上記カートリッジ収納凹所５の前方開口に位置する浄水カートリッジ３は、叙述のように前面蓋６を引込凹部３０に前方から被着した際にカートリッジ収納凹所５の前方開口に位置する補強リブ１２に当接されて後方へ押し込まれ、カートリッジ収納凹所５に正常に収納されるのである。つまり、未収納状態にある浄水カートリッジ３に当接する上記補強リブ１２が叙述の押込部１１を構成している。このように押込部１１が前面蓋６の剛性補強を図る補強リブ１２で構成されたことで、未収納状態にある浄水カートリッジ３の押し込み時に押込部１１にかかる負荷によって押込部１１や前面蓋６が変形してしまうことも有効に防止されている。
【図面の簡単な説明】
【００３５】
【図１】本発明の実施の形態の例のアルカリイオン整水器の前面蓋を開けた状態の斜視図である。
【図２】同上のアルカリイオン整水器の前面蓋を被着した状態の縦断面図である。
【図３】同上のアルカリイオン整水器の浄水カートリッジの未収納状態を説明する縦断面図である。
【図４】同上のアルカリイオン整水器のシンク周りへの設置を説明する平面図である。
【図５】同上のアルカリイオン整水器の概略構成図である。
【符号の説明】
【００３６】
１  整水器本体
１ａ  前面
２  水経路
３  浄水カートリッジ
４  電解槽
５  カートリッジ収納凹所
６  前面蓋
７  本体側接続口
７ａ  本体側上接続口
７ｂ  本体側下接続口
８  カートリッジ側接続口
８ａ  カートリッジ側上接続口
８ｂ  カートリッジ側下接続口
９  弾性部
１０  指挿入用凹部
１１  押込部
１２  補強リブ
【図１】
2008168239.tif 000003
【図２】
2008168239.tif 000004
【図３】
2008168239.tif 000005
【図４】
2008168239.tif 000006
【図５】
2008168239.tif 000007